(57)【要約】【課題】  ランプの発光管の温度を下げ過ぎないように、しかもランプの放電状態を安定的に継続・維持することを可能にした画像表示装置を提供する。【解決手段】  液晶プロジェクタ１００は、光変調作用を有する液晶パネル１３にランプ１０からの光を照射することによって画像を表示する。液晶プロジェクタ１００は、画像表示時の輝度値及び液晶パネル１３への黒フレームの挿入時の輝度値を生成する画像補正部４と、画像補正部４において生成された輝度値に基づきランプ１０の電力制御値を生成する電力制御部６と、ランプ１０の発光管の温度を検出する温度検出器１１と、ランプ１０を冷却する冷却ファン７とを備え、電力制御部６は、温度検出器１１からの検出温度値に応じて冷却ファン７の回転数を変化させる。また、電力制御部６は、ランプ１０の電力制御値に応じてその電力制御値が低いほど高い点灯周波数に変化させる。【選択図】      図１
2005227478.tif 000002
【特許請求の範囲】
【請求項１】
光変調作用を有する表示素子に光源からの光を照射することによって画像を表示する画像表示装置であって、
前記画像表示時の輝度値及び黒フレーム時の輝度値を生成する画像補正部と、
前記画像補正部において生成された輝度値に基づき前記光源の電力制御値を生成する電力制御部と、
前記光源の発光管の温度を検出する温度検出手段と、
前記光源を冷却する冷却ファンと
を備え、前記電力制御部は、前記温度検出手段からの検出温度値に応じて、前記冷却ファンの回転数を変化させることを特徴とする画像表示装置。
【請求項２】
請求項１記載の画像表示装置において、
前記電力制御部は、前記温度検出手段において検出された一定周期の複数回の平均温度値から、前記冷却ファンの回転数を変化させることを特徴とする画像表示装置。
【請求項３】
請求項２記載の画像表示装置において、
前記電力制御部は、前記平均温度値が一定温度値以下にならないように、前記冷却ファンの回転数を変化させることを特徴とする画像表示装置。
【請求項４】
請求項３記載の画像表示装置において、
前記電力制御部は、前記平均温度値が一定温度値以下に低下した時、前記冷却ファンの回転数を低下させることを特徴とする画像表示装置。
【請求項５】
請求項１乃至請求項４の何れか一項に記載の画像表示装置において、
前記電力制御部は、前記画像補正部からの画像表示時の輝度値及び黒フレーム時の輝度値に対応して、前記光源の電力制御値に基づき光源の点灯周波数値を変化させることを特徴とする画像表示装置。
【請求項６】
光変調作用を有する表示素子に光源からの光を照射することによって画像を表示する画像表示装置であって、
前記画像表示時の輝度値及び黒フレーム時の輝度値を生成する画像補正部と、
前記画像補正部において生成された輝度値に基づき前記光源の電力制御値を生成する電力制御部と
を備え、前記電力制御部は、前記画像補正部からの画像表示時の輝度値及び黒フレーム時の輝度値に対応して、前記光源の電力制御値に基づき光源の点灯周波数値を変化させることを特徴とする画像表示装置。
【請求項７】
請求項５又は請求項６記載の画像表示装置において、
前記光源の電力制御値が所定の電力値に低下した時、前記光源の点灯周波数値を所定値に増加させることを特徴とする画像表示装置。
【請求項８】
請求項５又は請求項６記載の画像表示装置において、
前記光源の電力制御値が定格電力値以下に低下した時、該定格電力値の低下量に対応して、前記光源の点灯周波数値を増加させることを特徴とする画像表示装置。
【発明の詳細な説明】
【技術分野】
【０００１】
本発明は画像表示装置に関し、特に高圧放電ランプを安定的に点灯させる画像表示装置に関する。
【背景技術】
【０００２】
近年の高度情報化時代における画像表示装置として、透過型あるいは反射型の光変調作用を有する表示素子、およびこの表示素子に光を照射する放電式の光源とから構成され、特に表示素子として液晶パネルを用い、液晶パネルによって変調された光をスクリーンに投写して画像を表示する投写型液晶表示装置、いわゆる液晶プロジェクタが広く知られている。液晶プロジェクタは、表示画像の高輝度化のために、放電式の光源としてメタルハライドランプや超高圧水銀ランプが用いられ、表示素子として液晶パネルが用いられることによって、従来の陰極線管（Cathode Ray Tube：ＣＲＴ）が用いられた投写型映像表示装置に比べ、小型・軽量にすることと共に大画面表示を容易に実現することが可能であることから、普及が急速に進んでいる。
【０００３】
こうした投写型液晶表示装置において、ＣＲＴ等と比較して劣る明るいシーンでの明るさ感の不足、および暗いシーンでの黒浮きを改善するために、一般的なコントラスト調整（信号増幅ゲインの調整）に加えて、光源輝度の調光による改善が行われている（例えば、特許文献１参照）。
【０００４】
また、同様にＣＲＴ等と比較して劣る滑らかな動画表示を得るために、光路上にシャッタを配置して光変調装置を通過する光を一定期間遮断する（黒フレームの挿入とも言う）動画表示改善が行われている（例えば、特許文献２参照）。
【０００５】
【特許文献１】特開平１０−３９９６号公報
【特許文献２】特開２００２−１４８７１２号公報
【発明の開示】
【発明が解決しようとする課題】
【０００６】
上記の特許文献１および特許文献２の、光源輝度の調光および動画表示改善の黒フレームの挿入が同時に実施された構成では、しばらく輝度が暗めに調光された場合、液晶パネルを照射する光源（ランプ）の電力制御値が定格電力値から大幅に低下する。この電力制御値の低下に伴いランプ輝度を大幅に低下させることは、次の課題がある。
（１）ランプの発光管の温度が低下し、放電を安定的に継続する温度が維持できない。ランプの発光管の温度低下は、点灯起動性の不良やライフ特性（ランプ寿命）の劣化等を生じる。
（２）フリッカの発生等、ランプの放電状態を安定的に維持ができない。
【０００７】
そこで、本発明は、ランプの発光管の温度を下げ過ぎないように、しかもランプの放電状態を安定的に継続・維持することを可能にした画像表示装置を提供することを目的とする。
【課題を解決するための手段】
【０００８】
上記問題を解決するために、本発明の画像表示装置は、光変調作用を有する表示素子に光源からの光を照射することによって画像を表示する画像表示装置であって、前記画像表示時の輝度値及び黒フレーム時の輝度値を生成する画像補正部と、前記画像補正部において生成された輝度値に基づき前記光源の電力制御値を生成する電力制御部と、前記光源の発光管の温度を検出する温度検出手段と、前記光源を冷却する冷却ファンとを備え、前記電力制御部は前記温度検出手段からの検出温度値に応じて前記冷却ファンの回転数を変化させることを特徴とする。
【０００９】
上記構成によれば、温度検出手段により光源の発光管の温度を検出し、検出された発光管の温度に応じて、光源を冷却する冷却ファンの回転数を変化させることにより、光源（発光管）の温度が低下し過ぎることを防止し、光源の放電を安定的に維持できる。その結果、光源の点灯起動の不良、あるいはライフ特性の劣化等を防ぐことができる。
【００１０】
また、本発明の画像表示装置では、前記電力制御部は、前記温度検出手段において検出された一定周期の複数回の平均温度値から、前記冷却ファンの回転数を変化させることを特徴とする。
上記構成によれば、電力制御部は、温度検出手段において検出される光源の発光管の温度を、一定周期の複数回の平均温度値に基づいて冷却ファンの回転数を変化させるので、冷却ファンの過度の回転を抑え、光源の放電を安定的に継続する発光管の温度が維持できると共に、ファンの騒音や消費電力を抑えることができる。
【００１１】
また、本発明の画像表示装置では、前記電力制御部は、前記平均温度値が一定温度値以下にならないように、前記冷却ファンの回転数を変化させることを特徴とする。
上記構成によれば、電力制御部は光源の発光管の平均温度値が一定温度値以下にならないように冷却ファンの回転数を変化させるので、光源の放電を安定的に継続する温度が維持でき、点灯起動性の不良やライフ特性（ランプ寿命）の劣化速度を抑制できる。
【００１２】
また、本発明の画像表示装置では、前記電力制御部は、前記平均温度値が一定温度値以下に低下した時、前記冷却ファンの回転数を低下させることを特徴とする。
上記構成によれば、回転数は光源の発光管の平均温度値が一定温度値以下に低下した時に、冷却ファンの電力制御値を低下させるので、光源の放電を安定的に継続する温度が維持でき、点灯起動性の不良やライフ特性（ランプ寿命）の劣化を防ぐことができる。
【００１３】
また、本発明の画像表示装置は、前記電力制御部は、前記画像補正部からの画像表示時の輝度値及び黒フレーム時の輝度値に対応して、前記光源の電力制御値に基づき光源の点灯周波数値を変化させることを特徴とする。
上記構成によれば、電力制御部は、画像補正部からの画像表示時の輝度値及び黒フレーム時の輝度値に対応して、光源の電力制御値に基づき光源の点灯周波数値を変化させることにより、光源の電力制御値が定格電力値から低下した時に、光源の放電を安定的に維持できる。
【００１４】
また、本発明の画像表示装置は、光変調作用を有する表示素子に光源からの光を照射することによって画像を表示する画像表示装置であって、前記画像表示時の輝度値及び黒フレーム時の輝度値を生成する画像補正部と、前記画像補正部において生成された輝度値に基づき前記光源の電力制御値を生成する電力制御部とを備え、前記電力制御部は、前記画像補正部からの画像表示時の輝度値及び黒フレーム時の輝度値に対応して、光源の電力制御値に基づいて光源の点灯周波数値を変化させることを特徴とする。
【００１５】
上記構成によれば、電力制御部は、画像補正部からの画像表示時の輝度値及び黒フレーム時の輝度値に対応して、光源の電力制御値に基づいて光源の点灯周波数値を変化させるので、光源の電力制御値が定格電力値から低下した時に、フリッカの発生等を抑制した安定的な光源の放電が維持できると共に、適切なコントラストの表示画像が得られる。
【００１６】
また、本発明の画像表示装置は、前記光源の電力制御値が所定の電力値に低下した時、前記光源の点灯周波数値を所定値に増加させることを特徴とする。
上記構成によれば、光源の電力制御値が所定の電力値に低下した時、点灯周波数値を所定値に増加させるので、光源の放電を安定的に維持できる。
【００１７】
また、本発明の画像表示装置は、前記光源の電力制御値が定格電力値以下に低下した時、該定格電力値の低下量に対応して、前記光源の点灯周波数値を増加させることを特徴とする。
上記構成によれば、光源の電力制御値が定格電力値以下に低下した時、定格電力値の低下量に対応して光源の点灯周波数値を増加するので、安定的な光源の放電が維持できると共に、適切なコントラストの表示画像が得られる。
【発明を実施するための最良の形態】
【００１８】
以下、本発明の実施形態を説明する。なお、本実施形態では、本発明の画像表示装置の一例として、表示素子としての液晶パネルと、液晶パネルに光を照射する放電式の光源とから構成され、液晶パネルによって変調された光をスクリーンに投写して画像を表示する投写型液晶表示装置、いわゆる液晶プロジェクタを用いて説明する。
【００１９】
図１は、本実施形態の液晶プロジェクタの概略構成を示すブロック図である。
図１において、液晶プロジェクタ１００は、ＡＤコンバータ１、ビデオデコーダ２、画像処理回路３、画像補正部４、ＬＣＤ駆動回路５、電力制御部６、冷却ファン７、バラスト８、電源９、光源としてのランプ１０、温度検出手段としての温度検出器１１、ＡＤ変換回路１２、光変調作用を有する表示素子としての液晶パネル１３、投写レンズ１４等で構成されている。
【００２０】
ＡＤコンバータ１は、ＰＣ信号入力端子２０に入力したＰＣ画像データをデジタル信号に変換し、画像処理回路３に入力する。ビデオデコーダ２は、画像信号入力端子２１に入力された動画像データをデジタル信号に変換し、画像処理回路３に出力する。
【００２１】
画像処理回路３は、ＡＤコンバータ１あるいはビデオデコーダ２から入力されたＰＣ画像データあるいは動画像データ（以降、ＰＣ画像データあるいは動画像データを画像データと称する）に、フレームレート変換及びスケーリング処理等を行う。フレームレート変換等が行われた画像データは、画像補正部４に入力される。
【００２２】
画像補正部４は、入力される画像データにブライトネス調整、コントラスト調整、ガンマ補正処理等を施し、画像データのシーン毎の適正コントラストを実現する輝度値を生成する。また、動画表示改善のために液晶パネル１３に挿入する黒フレームの生成とそのタイミング設定を行う。こうした表示用映像信号はＬＣＤ駆動回路５に入力される。また、生成された画像表示時の輝度値及び黒フレーム時の輝度値は、電力制御部６に入力される。
【００２３】
ＬＣＤ駆動回路５は、画像補正部４から入力される表示用映像信号を最終的なＲ，Ｇ，Ｂの色信号として液晶パネル１３に供給する。
【００２４】
電力制御部６は、ＣＰＵ（Central Processing Unit）で構成され、画像補正部４において生成された画像表示時の輝度値及び黒フレーム時の輝度値に基づき、映像のシーン毎の適正コントラストを実現するランプ１０の輝度の調光（ランプ制御信号の生成）を行う。輝度の調光のために、それぞれの輝度値に適合した電力制御値及びその電力制御値に基づきランプ１０の適正放電を維持するための最適な点灯周波数値が生成される。生成されたランプ制御信号はバラスト８に入力される。また、電力制御部６では、後述する温度検出器１１において検出されたランプ１０の発光管の温度値データがＡＤ変換回路１２においてデジタル化され、このデジタル化された温度データに基づき、冷却ファン７の回転数を制御する。
【００２５】
冷却ファン７は、ランプ１０の冷却用ファンであり、ランプ１０の近傍に設けられ、電力制御部６において制御された回転数で、ランプ１０の周囲に冷却風を送り、ランプ１０の冷却を行う。ランプ１０の冷却を行った冷却風は、筐体に設けられている放熱穴から排気ファン（いずれも図示せず）により排気される。
【００２６】
バラスト８は、電力制御部６において生成されたランプ制御信号に基づいて、ランプ駆動電力及び点灯周波数を切り替えて、ランプ１０を駆動する。
ランプ１０は、放電式の光源として例えば超高圧水銀ランプからなり、バラスト８から入力されるランプ駆動電力及び点灯周波数に基づいて点灯する。
【００２７】
温度検出器１１は、接触式温度センサの例えば接地形のシース温度センサであり、点灯しているランプ１０の発光管の温度値を検出し、検出した温度値はＡＤ変換回路１２に入力される。ランプ１０の発光管の温度値検出については、図２に基づいて後述する。
ＡＤ変換回路１２は、ランプ１０の発光管の温度データをデジタル化し、電力制御部６に出力する。
【００２８】
次に、温度検出器１１によるランプ１０の温度値の検出について説明する。
図２は、温度検出器１１が配置されたランプ部の概略構造を示す側断面図である。
【００２９】
図２において、ランプ１０は、石英ガラスからなる発光管４０とリフレクタ４５とで構成されている。発光管４０は、発光部４０ａと発光部４０ａの両端部にある１対の封止部４０ｂ，４０ｃとからなり、発光部４０ａ内には先端を互いに近接対向させた２つの電極４１ａ，４１ｂが配設され、電極４１ａ，４１ｂの基端部が封止部４０ｂ，４０ｃにそれぞれ支持されている。封止部４０ｂ，４０ｃ内には封着金属４２ａ，４２ｂが気密に埋設されており、封着金属４２ｂには外導線４３が接続されている。封止部４０ｂの基部と口金４４は、接着剤４６を介してリフレクタ４５のネック部４５ａに固着されている。
【００３０】
また、リフレクタ４５のネック部４５ａには、接着剤４６を含む発光管４０の封止部４０ｂに至る孔１０ａが設けられており、この孔１０ａ内に、温度検出器１１が発光管４０の封止部４０ｂに接触するように配置されている。
【００３１】
このように構成されたランプ部において、温度検出器１１によるランプ１０の温度値の検出は、石英ガラスからなる発光管４０の封止部４０ｂにおける温度値を検出する。温度値は、発光部４０ａの温度値を検出するのが好ましいが、封止部４０ｂの温度値を検出することにより、ランプ１０の点灯中における発光部４０ａの表面温度が千数百度Ｃに達することによる温度検出器の損傷、及びランプの発光域に立入ることによるランプ発光効率の低下を防ぐことができる。
【００３２】
発光管４０の発光部４０ａにおける温度値は、予め実験等により取得した発光部４０ａと封止部４０ｂとの対応データに基づいて、封止部４０ｂの検出温度値から推定した温度値を用いる。因みに、ランプ１０の点灯中における封止部４０ｂの温度値は、おおよそ発光部４０ａの温度値の４０〜６０％値である。
【００３３】
次に、液晶プロジェクタ１００の動作について説明する。
先ず、テレビジョン信号やＤＶＤ等の映像記録媒体から画像信号入力端子２１に入力された画像データは、ビデオデコーダ２においてデジタル信号に変換される。デジタル信号に変換された画像データは画像処理回路３に入力される。そして、画像処理回路３においてフレームレート変換及びスケーリング処理が施され、その動画像データは画像補正部４に入力される。また、ＰＣ入力端子信号に入力された画像データの場合は、ＡＤコンバータ１においてデジタル信号に変換され、デジタル信号に変換された画像データは画像処理回路３を経て画像補正部４に入力される。
【００３４】
そして、画像補正部４において画像処理回路３から入力された画像データに、ブライト調整、コントラスト調整、ガンマ補正処理等を施すと共に、画像データのシーン毎の適正コントラストを実現する輝度値（ランプ調光の輝度値）、及び動画表示改善のために液晶パネル１３に挿入する黒フレームの生成とそのタイミング設定を行う。こうして画像補正部４において適正に補正された画像データ（表示用映像信号）はＬＣＤ駆動回路５に入力される。
【００３５】
そして、画像補正部４において補正された画像データは、ＬＣＤ駆動回路５においてＲ，Ｇ，Ｂの色信号に分離されて、液晶パネル１３が駆動される。そして、ランプ１０からの光が液晶パネル１３を透過することにより、投写レンズ１４を介して画像がスクリーン３０に投影される。
【００３６】
図３にランプ１０の調光、及び黒フレームの挿入によるランプの輝度変化の一例を示す。
図３（ａ）は、黒フレームの挿入によるランプの輝度変化を示すグラフ、図３（ｂ）は、ランプ調光によるランプの輝度変化を示すグラフ、図３（ｃ）は、ランプ調光及び黒フレームの挿入が同時に行われた時のランプの輝度変化を示すグラフである。
【００３７】
図３（ａ）において、輝度値ａはランプの電力制御値が定格電力状態の時のランプ輝度を示し、輝度値ｂは黒フレームの挿入時のランプ輝度を示している。グラフ横軸の黒フレームの挿入期間（表示期間）は、例えば６０分の１秒間隔（６０Ｈｚ）の画像のフィールド（表示期間）に対して３０分の１秒間隔（３０Ｈｚ）で挿入される。すなわち、黒フレームが挿入される３０Ｈｚ毎にランプ輝度が低下する。この黒フレームの挿入によるランプの輝度値ｂは、ランプの電力制御値が定格電力状態における輝度値ａの２０〜３０％に低下する。ここでは、黒フレームの挿入は、液晶パネル１３に黒の画面を書き込むことで行う。
【００３８】
図３（ｂ）において、表示期間ｃは、表示画像が暗いシーンの一例におけるランプの調光によるランプの輝度変化を示し、表示期間ｄは、表示画像が明るいシーンの一例におけるランプの調光によるランプの輝度変化を示している。表示画像が暗いシーンの時のランプ調光によるランプの輝度値は、明るいシーンにおける輝度値の３０〜４０％を示す。
【００３９】
図３（ｃ）は、図３（ａ）に示した黒フレームの挿入と、図３（ｂ）に示したランプの調光が同時に行われた時のランプ１０の輝度変化を示している。この黒フレームの挿入及びランプ調光が同時に行われた時、ランプの輝度値は黒フレームが挿入される周期で輝度値が大幅に低下する。本実施形態では、この輝度値が低下する期間ｔにおいて、ランプ１０の適正放電を維持するための最適な点灯周波数がランプ１０に供給される。
【００４０】
電力制御部６は、画像補正部４において生成された画像表示時の輝度値、及び黒フレームの挿入時の輝度値を、例えば１〜５ｍｓの一定周期毎に入力し、それぞれの輝度値に適合したランプ１０の電力制御値、及びその電力制御値に基づきランプ１０の適正放電を維持するための最適な点灯周波数値を生成する。
【００４１】
この点灯周波数値は、ランプ電力制御値が低ければ低いほど、高い点灯周波数値が生成される。例えば、ランプ定格電力時には２００Ｈｚの点灯周波数値を生成し、ランプ電力制御値（ランプの輝度値）が定格電力時の２０〜３０％の場合に、例えば２ＫＨｚの点灯周波数値が生成される。ランプ電力制御値がランプ定格電力時と定格電力時の２０〜３０％の間は、ランプ電力制御値に応じて２００Ｈｚ〜２ＫＨｚの点灯周波数値がリニアに生成される。
【００４２】
図４に電力制御部６において生成されるランプの点灯周波数の状態を示す。なお、図４は、図３（ｃ）に示す期間Ｔにおけるランプの点灯周波数の状態を示す。
【００４３】
期間Ｔは、黒フレームの挿入とランプの調光が同時に行われランプ電力制御値が低下した状態（図３（ｃ）を参照）の期間であり、例えばランプ定格電力時に２００Ｈｚの点灯周波数値に対して、ランプ電力制御値が定格電力時の２０〜３０％であるので２ＫＨｚの点灯周波数値が生成される。生成される点灯周波数値は、おおよそ電力制御値（ランプの輝度値）に比例の関係に生成される。生成された電力制御値及び点灯周波数値はバラスト８に入力される。
【００４４】
そして、バラスト８では、電力制御部６において生成されたランプ１０の電力制御値及び点灯周波数値に基づき、ランプ駆動電力及び点灯周波数を切り替えてランプ１０を点灯駆動する。
【００４５】
次に、温度検出器１１及び冷却ファン７の動作について説明する。
液晶プロジェクタ１００を起動しランプ１０の点灯が開始された後、温度検出器１１は、ランプ１０の点灯状態における発光管４０の封止部４０ｂの温度値を、例えば１〜５ｍｓの一定周期で検出し、検出された温度値はＡＤ変換回路１２に入力する。そして、ＡＤ変換回路１２では、温度検出器１１において検出された発光管の温度値をデジタル信号に変換し、デジタル信号に変換された発光管の温度値は電力制御部６に入力される。
【００４６】
そして、電力制御部６では、温度検出器１１において一定周期で検出された発光管４０（封止部４０ｂ）の温度値を、一定期間毎、例えば５回検出する毎に平均化し、この平均化した温度が一定温度値以下に下がらないように冷却ファン７の回転数を制御する。すなわち、映像のシーン毎の適正コントラストを実現するランプ調光による輝度、及び動画表示改善のための黒フレームの挿入時の輝度に適合したランプ１０の電力制御により、検出された発光管の平均温度値が一定温度値以下に低下した時には冷却ファン７の回転数を下げ、必要以上に発光管の温度が低下し過ぎないように冷却ファン７の制御を行う。一定温度値は、定格電力に対して所定の割合を減じた電力を印加した場合における発光管の温度値であって、ランプの寿命に対する影響が小さいことを評価によって求めた温度値が好ましい。
【００４７】
以上に説明した本実施の形態によれば、以下の効果が得られる。
（１）温度検出器１１によりランプ１０の発光管の温度を検出し、検出された発光管の温度に応じて冷却ファン７の回転数を変化させる。より詳しくは、平均温度値が一定温度値以下に低下した時に、冷却ファン７の回転数を低下させるので、ランプ１０（発光管）の温度が低下し過ぎることを防止し、ランプ１０の放電を安定的に継続する発光管の温度を維持することがでる。その結果、ランプ１０の点灯起動の不良、あるいはライフ特性（ランプ寿命）の劣化速度を抑制できる。
【００４８】
（２）電力制御部６は、温度検出器１１において検出されるランプ１０の発光管の温度を、一定周期の複数回の平均温度値に基づいて冷却ファン７の回転数を変化させるので、冷却ファン７の過度の回転を抑え、ランプ１０の放電を安定的に継続する発光管の温度が維持できると共に、冷却ファン７の騒音や消費電力を抑えることができる。
【００４９】
（３）電力制御部６は、画像補正部４からの画像表示時の輝度値及び液晶パネル１３への黒フレームの挿入時の輝度値に対応して、ランプ１０の電力制御値が定格電力値以下に低下した時、定格電力値の低下量に対応して点灯周波数値を増加させるので、フリッカの発生等を抑制した安定的なランプの放電が維持できると共に、適切なコントラストの表示画像が得られる。
【００５０】
その他の変形例を以下に記載する。
【００５１】
（変形例１）
電力制御部６において生成されるランプ１０の点灯周波数値は、ランプ電力制御値が低ければ低いほど、高い点灯周波数値を生成する場合で説明したが、ランプ電力制御値が所定の電力値に達した時（低下した時）に、所定の点灯周波数値を生成することであっても良い。
【００５２】
この点灯周波数値は、例えば、ランプ定格電力時には２００Ｈｚの点灯周波数が生成され、ランプ電力制御値（ランプの輝度値）が定格電力時の２０〜３０％の場合に、例えば２ＫＨｚの点灯周波数が生成される。こうした点灯周波数値の生成により、フリッカの発生等を抑制した安定的なランプの放電が維持できると共に、適切なコントラストの表示画像が得られる。
【００５３】
（変形例２）
電力制御部６では、温度検出器１１において一定周期で検出された発光管４０（封止部４０ｂ）の温度値を、一定期間毎、例えば５回検出する毎に平均化し、この平均化した温度（平均温度）が一定温度値以下に下がらないように、冷却ファン７の回転数を制御する場合で説明したが、平均温度値に限定されない。温度検出器１１において一定周期で検出された過去複数回の発光管４０（封止部４０ｂ）の温度値の積分でも良いし、累積であっても良い。また、その時の検出温度値のみでも良い。
【００５４】
（変形例３）
黒フレームの挿入期間（表示期間）は、例えば６０分の１秒間隔（６０Ｈｚ）の画像のフィールド（表示期間）に対して３０分の１秒間隔（３０Ｈｚ）で挿入されるとしたが、６０分の１秒間隔（６０Ｈｚ）の画像のフィールド（表示期間）に対して１２０分の１秒間隔（１２０Ｈｚ）で挿入されるとしてもよい。
【００５５】
（変形例４）
黒フレームの挿入は、液晶パネル１３に黒の画面を書き込むことで行うとしたが、光路上にシャッタを配置して光変調装置を通過する光を一定期間遮断するようにして行ってもよい。
【図面の簡単な説明】
【００５６】
【図１】本発明の液晶プロジェクタの概略構成を示すブロック図。
【図２】温度検出器が配置されたランプ部の概略構造を示す側断面図。
【図３】ランプの調光及び黒フレームの挿入によるランプの輝度変化を示すグラフ。
【図４】ランプの点灯周波数の状態を示すグラフ。
【符号の説明】
【００５７】
１…ＡＤコンバータ、２…ビデオデコーダ、３…画像処理回路、４…画像補正部、５…ＬＣＤ駆動回路、６…電力制御部、７…冷却ファン、８…バラスト、９…電源、１０…光源としてのランプ、１１…温度検出手段としての温度検出器、１２…ＡＤ変換回路、１３…表示素子としての液晶パネル、１４…投写レンズ、２０…ＰＣ信号入力端子、２１…画像信号入力端子、３０…スクリーン、４０…発光管、４０ａ…発光部、４０ｂ…封止部、１００…画像表示装置としての液晶プロジェクタ。
【図１】
2005227478.tif 000003
【図２】
2005227478.tif 000004
【図３】
2005227478.tif 000005
【図４】
2005227478.tif 000006